(57)【特許請求の範囲】
【請求項１】
３Ｇ又は４Ｇによりネットワーク化可能な独立智能ヘッドセットにおいて、
前記独立智能ヘッドセットは、
智能ボディと、
イヤホンとを備え、
前記智能ボディは、ＰＣＢＡ基板、ＴＰ基板、ＬＥＤスクリーン、電池、マイクロカードスロット、マイクロＵＳＢポート、及び三つの物理的なファンクションキーを備え、前記ＰＣＢＡ基板に、８ＧＢのメモリカード、３Ｇモジュール、ＷＩＦＩモジュール、及びブルートゥースモジュールが設けられており、
前記イヤホンは、タッチパッド、ブルートゥースモジュール、電池、左側ハウジング、右側ハウジング、ＭＩＣ、オーディオ・ライン・インタフェースを備えているとともに、
前記智能ボディの背側に設けられている二つの磁石接点及び前記イヤホンの右側ハウジングに設けられている二つの磁石接点は、相互に吸着することにより前記智能ボディと前記イヤホンが一体化可能な構造になるとともに、
前記右側ハウジングの四つの金属接点が、前記智能ボディの背面の四つの金属接触片と接触することにより、前記智能ボディと前記イヤホンのＢＡＴ、ＧＮＤ、ＢＴ-ＯＮ及びＢＴ-ＰＡＩＲに対する操作を実現させるとともに、
前記イヤホンの左側ハウジングに設けられるブルートゥースモジュールは、前記智能ボディのＰＣＢＡ板に設けられるブルートゥースモジュールとペアリングすることにより、前記智能ボディと前記イヤホンとのオーディオ信号の伝送を実現させるとともに、
前記イヤホンの左側ハウジングに設けられるタッチパッドにより、前記智能ボディの音源を操作することを特徴とする独立智能ヘッドセット。
【請求項２】
前記３Ｇ又は４Ｇによりネットワーク化可能な独立智能ヘッドセットにおいて、
前記ＰＣＢＡ基板には、独立したネットワーク接続を実現させるための３ＧモジュールとＷＩＦＩモジュールが設けられていることを特徴とする請求項１に記載の独立智能ヘッドセット。
【請求項３】
前記３Ｇ又は４Ｇによりネットワーク化可能な独立智能ヘッドセットにおいて、
前記智能ボディには、ＳＩＭカード又はデータカードを挿入することにより、３Ｇモジュールを介してネットワークに接続するためのマイクロカードスロットが設けられていることを特徴とする請求項１に記載の独立智能ヘッドセット。
【請求項４】
前記３Ｇ又は４Ｇによりネットワーク化可能な前記独立智能ヘッドセットにおいて、
前記智能ボディには、ソフトウェアの実行をサポートするためのカスタムのアンドロイドオペレーティングシステムがインストールされていることを特徴とする請求項１に記載の独立智能ヘッドセット。
【請求項５】
前記３Ｇ又は４Ｇによりネットワーク化可能な前記独立智能ヘッドセットにおいて、
前記智能ボディには、無制限のオンライン音楽ソースを提供するための音楽ステーションのＡＰＰがプリロードされていることを特徴とする請求項１に記載の独立智能ヘッドセット。
【請求項６】
前記３Ｇ又は４Ｇによりネットワーク化可能な前記独立智能ヘッドセットにおいて、
前記智能ボディには、オンラインコミュニケーション機能を実現するためのインスタントメッセージングのＡＰＰがプリロードされていることを特徴とする請求項１に記載の独立智能ヘッドセット。
【請求項７】
前記３Ｇ又は４Ｇによりネットワーク化可能な前記独立智能ヘッドセットにおいて、
前記ＰＣＢＡ基板には、音楽を保存かつ再生するための８ＧＢのメモリカードが設けられていることを特徴とする請求項１に記載の独立智能ヘッドセット。
【請求項８】
前記３Ｇ又は４Ｇによりネットワーク化可能な前記独立智能ヘッドセットにおいて、
前記智能ボディに設けられている前記ＰＣＢＡ基板には、ブルートゥース送信モジュールが設けられているとともに、前記イヤホンには、ブルートゥース受信モジュールが設けられており、前記ブルートゥース送信モジュール及びブルートゥース受信モジュールは、前記智能ボディがＯＮとなる場合にペアリングすることにより、前記智能ボディと前記イヤホンとの間の音声データ伝送を実現させ、即ち、前記智能ボディと前記イヤホンとが分離した時に、音声データが途切れられないことを特徴とする請求項１に記載の独立智能ヘッドセット。
【発明の詳細な説明】
【技術分野】
【０００１】
本発明は、ヘッドセットに関し、特に、アンドロイドシステムに基づき、３Ｇ又は４Ｇによりネットワーク化可能な独立智能ヘッドセットに関する。
【背景技術】
【０００２】
従来、ヘッドセットを利用して音楽を聴く場合に、ヘッドセットと、音楽再生装置と、ヘッドセットが音楽再生装置に接続されるためのオーディオケーブルとは、それぞれ少なくとも一つ必要である。或いは、ヘッドセットにブルートゥースモジュールが設けられ、かつ音楽再生装置にもブルートゥースモジュールが設けられなければならず、ブルートゥースによりヘッドセットが音楽再生装置に接続して、使用者は音楽再生装置を操作して音楽を再生する。このように、ヘッドセットを利用して音楽を聴くのは、独立の装置としてのヘッドセットとオーディオケーブルと音楽再生装置は必要である。よって、従来のヘッドセットにより、独立で音楽を再生することができず、操作性が悪い、またコストも高くなる。
【発明の概要】
【発明が解決しようとする課題】
【０００３】
本発明は、３Ｇ又は４Ｇによりネットワーク化可能な独立智能ヘッドセットを提供することにより、以下のことを実現する。即ち、ヘッドセットは、完全に独立な装置になり、ネットワークに接続可能とすることにより、任意の時間と場所でもオンラインまたはオフラインでの音楽を聴き、かつオンラインのコミュニケーションを行うことができる。従来のヘッドセットと携帯電話/iPod/音楽再生装置との併用の代わりに、本発明の独立智能ヘッドセットにより、音楽を聴き、かつコミュニケーションを行うことが得られる。
【課題を解決するための手段】
【０００４】
本発明は、上記課題を解決するために、３Ｇ又は４Ｇによりネットワーク化可能な独立智能ヘッドセットを提供する。
【０００５】
即ち、本発明の独立智能ヘッドセットは、
３Ｇ又は４Ｇによりネットワーク化可能な独立智能ヘッドセットにおいて、前記独立智能ヘッドセットは、
智能ボディと
イヤホンとを備え、
前記智能ボディは、ＰＣＢＡ基板、ＴＰ基板、ＬＥＤスクリーン、電池、マイクロカードスロット、マイクロＵＳＢポート、及び三つの物理的なファンクションキーを備え、前記ＰＣＢＡ基板に、８ＧＢのメモリカード、３Ｇモジュール、ＷＩＦＩモジュール、及びブルートゥースモジュールが設けられており、
前記イヤホンは、タッチパッド、ブルートゥースモジュール、電池、左側ハウジング、右側ハウジング、ＭＩＣ、オーディオ・ライン・インタフェースを備えているとともに、
前記智能ボディの背側に設けられている二つの磁石接点及び前記イヤホンの右側ハウジングに設けられている二つの磁石接点は、相互に吸着することにより前記智能ボディと前記イヤホンが一体化可能な構造になるとともに、
前記右側ハウジングの四つの金属接点が、前記智能ボディの背面の四つの金属接触片と接触することにより、前記智能ボディと前記イヤホンのＢＡＴ、ＧＮＤ、ＢＴ-ＯＮ及びＢＴ-ＰＡＩＲに対する操作を実現させるとともに、
前記イヤホンの左側ハウジングに設けられるブルートゥースモジュールは、前記智能ボディのＰＣＢＡ板に設けられるブルートゥースモジュールとペアリングすることにより、前記智能ボディと前記イヤホンとのオーディオ信号の伝送を実現させるとともに、
前記イヤホンの左側ハウジングに設けられるタッチパッドにより、前記智能ボディの音源を操作することを特徴とする。
【０００６】
更に、上記独立智能ヘッドセットにおいて、前記ＰＣＢＡ基板には、独立したネットワーク接続を実現させるための３ＧモジュールとＷＩＦＩモジュールが設けられている。
【０００７】
更に、上記独立智能ヘッドセットにおいて、前記智能ボディには、ＳＩＭカード又はデータカードを挿入することにより、３Ｇモジュールを介してネットワークに接続するためのマイクロカードスロットが設けられている。
【０００８】
更に、上記独立智能ヘッドセットにおいて、前記智能ボディには、ソフトウェアの実行をサポートするためのカスタムのアンドロイドオペレーティングシステムがインストールされている。
【０００９】
更に、上記独立智能ヘッドセットにおいて、前記智能ボディには、無制限のオンライン音楽ソースを提供するための音楽ステーションのＡＰＰがプリロードされている。
【００１０】
更に、上記独立智能ヘッドセットにおいて、前記智能ボディには、オンラインコミュニケーション機能を実現するためのインスタントメッセージングのＡＰＰがプリロードされている。
【００１１】
更に、上記独立智能ヘッドセットにおいて、前記ＰＣＢＡ基板には、音楽を保存かつ再生するための８ＧＢのメモリカードが設けられている。
【００１２】
更に、上記独立智能ヘッドセットにおいて、前記智能ボディに設けられている前記ＰＣＢＡ基板には、ブルートゥース送信モジュールが設けられているとともに、前記イヤホンには、ブルートゥース受信モジュールが設けられており、前記ブルートゥース送信モジュール及びブルートゥース受信モジュールは、前記智能ボディがＯＮとなる場合にペアリングすることにより、前記智能ボディと前記イヤホンとの間の音声データ伝送を実現させ、即ち、前記智能ボディと前記イヤホンとが分離した時に、音声データが途切れられない。
【図面の簡単な説明】
【００１３】
【図１】図１は本発明の３Ｇ又は４Ｇによりネットワーク化可能な独立智能ヘッドセットの分解している構造を示す模式図である。
【発明を実施するための形態】
【００１４】
以下に図面を参照して、この発明を実施するための形態を、実施例に基づいて例示的に詳しく説明する。ただし、この実施形態及び実施例に記載されている構成部品の寸法、材質、形状、その相対配置などは、特に特定的な記載がない限りは、この発明の範囲をそれらのみに限定する趣旨のものではない。
【００１５】
図１を参照して、本発明の３Ｇ又は４Ｇによりネットワーク化可能な独立智能ヘッドセットについて説明する。本実施形態に係る独立智能ヘッドセットは、
智能ボディ（一）とイヤホン（二）とを備え、
前記智能ボディ（一）は、ＰＣＢＡ基板１、ＴＰ基板２、ＬＥＤスクリーン３、電池４、マイクロカードスロット５、マイクロＵＳＢポート６、及び三つの物理的なファンクションキー７を備え、ＰＣＢＡ基板１に、８ＧＢのメモリカード、３Ｇモジュール、ＷＩＦＩモジュール、及びブルートゥースモジュールが設けられており、
前記イヤホン（二）は、タッチパッド８、ブルートゥースモジュール９、電池１０、左側ハウジング１１、右側ハウジング１２、ＭＩＣ１３、オーディオ・ライン・インタフェース１４を備えており、
智能ボディ（一）の背側に設けられている二つの磁石接点及びイヤホン（二）の右側ハウジング１２に設けられている二つの磁石接点は、相互に吸着することにより智能ボディ（一）とイヤホン（二）が一体化可能な構造になるとともに、
右側ハウジング１２の四つの金属接点が、智能ボディ（一）の背面の四つの金属接触片と接触することにより、智能ボディ（一）とイヤホン（二）のＢＡＴ、ＧＮＤ、ＢＴ-ＯＮ及びＢＴ-ＰＡＩＲに対する操作を実現させるとともに、
左側ハウジング１１に設けられるブルートゥースモジュール９は、智能ボディ（一）のＰＣＢＡ板１に設けられるブルートゥースモジュールとペアリングすることにより、智能ボディ（一）とイヤホン（二）とのオーディオ信号の伝送を実現させるとともに、
イヤホン（二）の左側ハウジング１１に設けられるタッチパッド８により、智能ボディ（一）の音源を操作する。
【００１６】
智能ボディ（一）は、マイクロカードスロット５にＳＩＭカード又はデータカードが挿入されている場合に、ＰＣＢＡ基板１に設けられている３Ｇモジュールを介して、自動的にネットワークに接続し、或いはＰＣＢＡ基板１に設けられているＷＩＦＩモジュールを介して自動的にネットワークに接続する。
【００１７】
智能ボディ（一）には、音楽ステーションのＡＰＰがプリロードされ、この音楽ステーションのＡＰＰにより無制限のオンラインまたはオフライン音楽ソースを提供する。
【００１８】
ＰＣＢＡ基板１には、８ＧＢのメモリカードが設けられており、使用者はマイクロＵＳＢポート６を介してメモリカードにオーディオファイルを保存することができ、智能ボディ（一）にプリロードされたオーディオ再生用ＡＰＰによりオーディオファイルを再生することができる。
【００１９】
上記本発明の３Ｇ又は４Ｇによりネットワーク化可能な独立智能ヘッドセットにおいて、智能ボディ（一）にプリロードされたインスタントメッセージングのＡＰＰにより、ヘッドセットがネットワックに接続する場合に使用者は文字や音声でオンラインコミュニケーションを実現することができる。また、智能ボディ（一）の分離自在の構成により、使用者とヘッドセットとのインタラクションにある問題を解決できる。
【００２０】
また、上記本発明の３Ｇ又は４Ｇによりネットワーク化可能な独立智能ヘッドセットは、智能ボディ（一）をＯＦＦする場合に、オーディオ・ライン・インタフェース１４を介して、例えば、携帯電話やiPodなどの音楽再生装置に接続することができる。
【００２１】
上記本発明の３Ｇ又は４Ｇによりネットワーク化可能な独立智能ヘッドセットは、ひとつの独立な装置で任意の時間と場所でもオンラインまたはオフラインでの音楽を聴き、かつオンラインのコミュニケーションを行うことを図り、ヘッドセット、携帯電話、iPodなどのオーディオ再生装置の機能を組み合わせることにより、デザインを独特化し、コストを低減し、使用者とヘッドセットとのインタラクションを容易にさせ、かつ携帯も容易にする。
【００２２】
上記本発明の３Ｇ又は４Ｇによりネットワーク化可能な独立智能ヘッドセットは、音声認識によって、使用者とヘッドセットとのインタラクションを制御することができる。使用者は、智能ボディ（一）を取り外す必要がなく、ＬＥＤスクリーン３をクリックし、ＴＰ基板２に介して智能ボディ（一）にプリロードされたＡＰＰを操作することができ、又はＭＩＣ１３に対して音声コマンドを出し、音声認識システムを介して、自動的にＡＰＰを操作する。
【００２３】
上記本発明の３Ｇ又は４Ｇによりネットワーク化可能な独立智能ヘッドセットは、完全に独立な装置になり、ネットワークに接続可能とすることにより、無制限の音声ソースを提供し、任意の時間と場所でも音楽を聴き、かつオンラインのコミュニケーションを行う。従来のヘッドセットと携帯電話/iPod/音楽再生装置との併用の代わりに、本発明の独立智能ヘッドセットにより、音楽を聴くことができ、智能ヘッドセットによりオンラインのコミュニケーションを行うことを図る。
【００２４】
上記の実施例に記載されている構成部品の寸法、材質、形状、その相対配置などは、特に特定的な記載がない限りは、この発明の範囲をそれらのみに限定する趣旨のものではない。本発明の精神と原則内でのすべての変更、同等の代替品を作り、改良は、本発明の範囲内に含まれるべきである。
【図１】
0006026471.tif 000002